(57)【要約】【課題】  複数の無線基地局からの下り制御信号の中から受信電界レベルの高い信号をしきい値判定により効率的に選択することを可能とする。【解決手段】  無線受信した受信信号の受信電界レベルを検出する電界レベル検出部２と、前記検出した受信電界レベルを電界レベルしきい値で判定する電界レベルしきい値判定部３と、前記しきい値判定の結果に応じて前記受信信号を用いた復調処理を行う復調部５と、前記検出した受信電界レベルを基にして電界レベルしきい値を算出し、電界レベルしきい値判定部３で使用する電界レベルしきい値を更新する電界レベルしきい値計算部４とを備える。【選択図】    図１
2006245741.tif 000002
【特許請求の範囲】
【請求項１】
受信した受信信号の受信電界レベルを検出する受信電界レベル検出手段と、
前記検出した受信電界レベルを電界レベルしきい値で判定するしきい値判定手段と、
前記判定の結果に基づき、下り制御信号の受信電界レベルが電界レベルしきい値よりも高い場合に当該下り制御信号に基づいて同期確立する受信処理手段と、
前記検出した受信電界レベルを基にして電界レベルしきい値を算出し、前記しきい値判定手段で使用する電界レベルしきい値を更新する電界レベルしきい値算出手段と、
を備えたことを特徴とする無線装置。
【請求項２】
前記電界レベルしきい値算出手段は、前記検出した受信電界レベルのレベル値を増加させた値を電界レベルしきい値とすることを特徴とする請求項１に記載の無線装置。
【請求項３】
前記受信電界レベルに対するレベルの増分値は、実用上問題のないエラーレートを確保可能な搬送波対干渉波比に相当する値であることを特徴とする請求項２に記載の無線装置。
【請求項４】
前記電界レベルしきい値算出手段は、前記しきい値判定の結果、前記検出した受信電界レベルが電界レベルしきい値より高い場合に、電界レベルしきい値の更新を行うことを特徴とする請求項１から３のいずれか１項に記載の無線装置。
【請求項５】
前記受信処理手段は、前記受信信号が有するビット同期用信号及び前記ビット同期用信号に後続するフレーム同期用信号を用いた同期確立を行う復調手段であり、
電界レベルしきい値算出手段は、前記ビット同期用信号が検出されてから電界レベルしきい値の算出を開始することを特徴とする請求項１から４のいずれか１項に記載の無線装置。
【請求項６】
前記受信処理手段は、前記受信信号が有するビット同期用信号及び前記ビット同期用信号に後続するフレーム同期用信号を用いた同期確立を行う復調手段であり、
電界レベルしきい値算出手段は、前記フレーム同期用信号が検出されてから電界レベルしきい値の算出を開始することを特徴とする請求項１から４のいずれか１項に記載の無線装置。
【請求項７】
前記復調手段は、前記検出した受信電界レベルが電界レベルしきい値より高い場合に、前記同期信号の再検出を行うことを特徴とする請求項５又は６に記載の無線装置。
【請求項８】
無線受信した受信信号の受信電界レベルを電界レベルしきい値で判定する無線装置における電界レベルしきい値設定方法であって、
無線受信した受信信号の受信電界レベルを検出する過程と、
前記検出した受信電界レベルを基にして電界レベルしきい値を算出する過程と、
この算出した電界レベルしきい値により前記判定で使用する電界レベルしきい値を更新する過程と、
を含むことを特徴とする電界レベルしきい値設定方法。
【請求項９】
前記電界レベルしきい値を算出する過程において、前記検出した受信電界レベルのレベル値を増加させた値を電界レベルしきい値とすることを特徴とする請求項８に記載の電界レベルしきい値設定方法。
【請求項１０】
前記受信電界レベルに対するレベルの増分値は、実用上問題のないエラーレートを確保可能な搬送波対干渉波比に相当する値であることを特徴とする請求項９に記載の電界レベルしきい値設定方法。
【請求項１１】
前記電界レベルしきい値を算出する過程において、前記しきい値判定の結果、前記検出した受信電界レベルが電界レベルしきい値より高い場合に、電界レベルしきい値の更新を行うことを特徴とする請求項８から１０のいずれか１項に記載の電界レベルしきい値設定方法。
【請求項１２】
前記無線装置は、前記受信信号が有するビット同期用信号及び前記ビット同期用信号に後続するフレーム同期用信号を用いた同期確立を行うものであり、
前記電界レベルしきい値を算出する過程において、前記ビット同期用信号が検出されてから電界レベルしきい値の算出を開始することを特徴とする請求項８から１１のいずれか１項に記載の電界レベルしきい値設定方法。
【請求項１３】
前記無線装置は、前記受信信号が有するビット同期用信号及び前記ビット同期用信号に後続するフレーム同期用信号を用いた同期確立を行うものであり、
前記電界レベルしきい値を算出する過程において、前記フレーム同期用信号が検出されてから電界レベルしきい値の算出を開始することを特徴とする請求項８から１１のいずれか１項に記載の電界レベルしきい値設定方法。
【請求項１４】
前記無線装置は、前記検出した受信電界レベルが電界レベルしきい値より高い場合に、前記同期信号の再検出を行うことを特徴とする請求項１２又は１３に記載の電界レベルしきい値設定方法。
【発明の詳細な説明】
【技術分野】
【０００１】
本発明は、ＴＤＭＡ方式等の移動通信システムなどに適用される無線装置およびその電界レベルしきい値設定方法に関する。
【背景技術】
【０００２】
従来の移動通信システムの一通信方式として、無線基地局と無線移動局との間の無線区間を時分割多重伝送路から構成し、制御データおよび音声等の通信データのやり取りを行うＴＤＭＡ（Time Division Multiple Access）方式が知られている。ＴＤＭＡ方式では、複数の無線基地局からそれぞれ所定周期で同一無線チャネルを介して下り制御信号（無線移動局に向けた制御信号）を送信し、各無線移動局はそれら複数の無線基地局からの下り制御信号を同一無線チャネルを介して受信する。そして、無線移動局は複数の無線基地局からの下り制御信号の中から受信電界レベルの高い信号を選択して同期確立動作を行っている。例えば特許文献１に記載される従来技術では、無線移動局が電界レベルしきい値を設定して受信電界レベルの高い信号の判定を行っており、例えば最初に比較的低い電界レベルしきい値を設定し、その後高い電界レベルしきい値を設定している。
【特許文献１】特開平８−１８２０４１号公報
【発明の開示】
【発明が解決しようとする課題】
【０００３】
しかし、上述した従来技術では、電界レベルしきい値の値の具体的な決め方が開示されておらず、受信電界レベルのより高い信号の判定を効率的に行うという点で技術的に未熟であるという問題がある。例えば、最初の電界レベルしきい値である無線基地局からの下り制御信号を有効と判定するが、次の判定に用いる電界レベルしきい値は最初の値よりも高い値というだけでは、必ずしも受信電界レベルのより高い信号を有効と判定することができない恐れがある。具体的な事例を挙げれば、例えば、２番目に受信した下り制御信号の受信電界レベルが、最初に受信した下り制御信号の受信電界レベルよりも小さい場合であっても、２番目の電界レベルしきい値が最初の電界レベルしきい値よりも高いが双方の下り制御信号の受信電界レベルよりも小さいならば、２番目に受信した下り制御信号は有効と判定される。この結果、受信電界レベルの小さい方の信号が同期確立に使用されてしまうという事態が発生する。
【０００４】
また、２つの無線基地局からの下り制御信号が重複している場合を考える（特許文献１の図３参照）。このとき、最初の電界レベルしきい値で下り制御信号（３１）を有効と判定し、次により高い電界レベルしきい値で次の下り制御信号（３２）を有効と判定したとする。しかし、２つの下り制御信号（３１），（３２）の重複期間ではＣＩＲ（Carrier to Interference Ratio；搬送波対干渉波比）が低下して、受信電界レベルのより高いはずの下り制御信号（３２）を用いた同期確立動作は失敗する恐れがある。
【０００５】
本発明は、このような事情を考慮してなされたもので、その目的は、複数の無線基地局からの下り制御信号の中から受信電界レベルの高い信号をしきい値判定により効率的に選択することができる無線装置およびその電界レベルしきい値設定方法を提供することにある。
【課題を解決するための手段】
【０００６】
上記の課題を解決するために、本発明に係る無線装置は、受信した受信信号の受信電界レベルを検出する受信電界レベル検出手段と、前記検出した受信電界レベルを電界レベルしきい値で判定するしきい値判定手段と、前記判定の結果に基づき、下り制御信号の受信電界レベルが電界レベルしきい値よりも高い場合に当該下り制御信号に基づいて同期確立する受信処理手段と、前記検出した受信電界レベルを基にして電界レベルしきい値を算出し、前記しきい値判定手段で使用する電界レベルしきい値を更新する電界レベルしきい値算出手段と、を備えたことを特徴とする。
【０００７】
本発明に係る無線装置においては、前記電界レベルしきい値算出手段は、前記検出した受信電界レベルのレベル値を増加させた値を電界レベルしきい値とすることを特徴とする。
【０００８】
本発明に係る無線装置においては、前記受信電界レベルに対するレベルの増分値は、実用上問題のないエラーレートを確保可能な搬送波対干渉波比に相当する値であることを特徴とする。
【０００９】
本発明に係る無線装置においては、前記電界レベルしきい値算出手段は、前記しきい値判定の結果、前記検出した受信電界レベルが電界レベルしきい値より高い場合に、電界レベルしきい値の更新を行うことを特徴とする。
【００１０】
本発明に係る無線装置においては、前記受信処理手段は、前記受信信号が有するビット同期用信号及び前記ビット同期用信号に後続するフレーム同期用信号を用いた同期確立を行う復調手段であり、電界レベルしきい値算出手段は、前記ビット同期用信号が検出されてから電界レベルしきい値の算出を開始することを特徴とする。
【００１１】
本発明に係る無線装置においては、前記受信処理手段は、前記受信信号が有するビット同期用信号及び前記ビット同期用信号に後続するフレーム同期用信号を用いた同期確立を行う復調手段であり、電界レベルしきい値算出手段は、前記フレーム同期用信号が検出されてから電界レベルしきい値の算出を開始することを特徴とする。
【００１２】
本発明に係る無線装置においては、前記復調手段は、前記検出した受信電界レベルが電界レベルしきい値より高い場合に、前記同期信号の再検出を行うことを特徴とする。
【００１３】
本発明に係る電界レベルしきい値設定方法は、無線受信した受信信号の受信電界レベルを電界レベルしきい値で判定する無線装置における電界レベルしきい値設定方法であって、無線受信した受信信号の受信電界レベルを検出する過程と、前記検出した受信電界レベルを基にして電界レベルしきい値を算出する過程と、この算出した電界レベルしきい値により前記判定で使用する電界レベルしきい値を更新する過程と、を含むことを特徴とする。
【００１４】
本発明に係る電界レベルしきい値設定方法においては、前記電界レベルしきい値を算出する過程において、前記検出した受信電界レベルのレベル値を増加させた値を電界レベルしきい値とすることを特徴とする。
【００１５】
本発明に係る電界レベルしきい値設定方法においては、前記受信電界レベルに対するレベルの増分値は、実用上問題のないエラーレートを確保可能な搬送波対干渉波比に相当する値であることを特徴とする。
【００１６】
本発明に係る電界レベルしきい値設定方法においては、前記電界レベルしきい値を算出する過程において、前記しきい値判定の結果、前記検出した受信電界レベルが電界レベルしきい値より高い場合に、電界レベルしきい値の更新を行うことを特徴とする。
【００１７】
本発明に係る電界レベルしきい値設定方法においては、前記無線装置は、前記受信信号が有するビット同期用信号及び前記ビット同期用信号に後続するフレーム同期用信号を用いた同期確立を行うものであり、前記電界レベルしきい値を算出する過程において、前記ビット同期用信号が検出されてから電界レベルしきい値の算出を開始することを特徴とする。
【００１８】
本発明に係る電界レベルしきい値設定方法においては、前記無線装置は、前記受信信号が有するビット同期用信号及び前記ビット同期用信号に後続するフレーム同期用信号を用いた同期確立を行うものであり、前記電界レベルしきい値を算出する過程において、前記フレーム同期用信号が検出されてから電界レベルしきい値の算出を開始することを特徴とする。
【００１９】
本発明に係る電界レベルしきい値設定方法においては、前記無線装置は、前記検出した受信電界レベルが電界レベルしきい値より高い場合に、前記同期信号の再検出を行うことを特徴とする。
【発明の効果】
【００２０】
本発明によれば、無線受信した受信信号の受信電界レベルを基にして電界レベルしきい値を算出し、この電界レベルしきい値を用いたしきい値判定の結果から受信信号の有効性が判断されるので、複数の無線基地局からの下り制御信号の中から受信電界レベルの高い信号をしきい値判定により効率的に選択することが可能となる。
【発明を実施するための最良の形態】
【００２１】
以下、図面を参照し、本発明の一実施形態について説明する。
図１は、本発明の一実施形態に係る無線移動局１０の受信系の構成を示すブロック図である。図１に示す無線移動局（以下、単に「移動局」と称する）１０は、図２に示されるようなＴＤＭＡ方式の移動通信システムの移動局であり、時分割多重伝送路からなる同一無線チャネルを介して複数の無線基地局１１−１、２、３、４、…、ｎからの下り制御信号を受信し、それら下り制御信号の中から受信電界レベルの高い信号を選択して同期確立動作を行い、無線基地局からの制御情報の受信を行う。
【００２２】
図３には下り制御信号の構成例が示されている。図３に示す下り制御信号は、ビット同期用信号２１とフレーム同期用信号２２とデータ信号２３と誤り検出信号２４とからなり、それぞれ所定のビット長を有している。なお、図２において制御局１２は複数の無線基地局（以下、単に「基地局」と称する）１１−１〜ｎを収容する。
【００２３】
図１において、受信ＲＦ部１は所定の無線チャネルを受信する。電界レベル検出部２は受信ＲＦ部１で受信された受信信号の受信電界レベルを検出する。電界レベルしきい値判定部３は電界レベル検出部２で検出された受信電界レベルを電界レベルしきい値を用いてしきい値判定を行い、受信電界レベルが電界レベルしきい値より高い場合に判定信号を制御部６に出力する。
【００２４】
電界レベルしきい値計算部４は電界レベル検出部２で検出された受信電界レベルを基にして電界レベルしきい値を算出し、電界レベルしきい値を電界レベルしきい値判定部３に設定する。
【００２５】
復調部５は受信ＲＦ部１から出力される受信信号から下り制御信号を検出し、復調動作を行う。制御部６は各部の動作を制御する。
【００２６】
次に、図４を参照して、本実施形態に係る移動局１０における電界レベルしきい値の設定動作を説明する。図４は、図１に示す移動局１０の動作を説明するためのタイミングチャートである。
図４において、（ａ）は基地局１１−１からの下り制御信号３１、（ｂ）は基地局１１−２からの下り制御信号３２、（ｃ）は基地局１１−３からの下り制御信号３３、（ｄ）は基地局１１−４からの下り制御信号３４、（ｅ）は移動局１０で受信された受信信号の受信電界レベル４１を示している。図４に示されるように、基地局１１−１から下り制御信号３１が送信され、少し送れて基地局１１−２から下り制御信号３２が送信され、さらに少し送れて基地局１１−３から下り制御信号３３が送信され、またさらに少し送れて基地局１１−４から下り制御信号３４が送信されている。この結果、下り制御信号の重複する期間が存在している。
【００２７】
先ず、受信初期状態では、電界レベルしきい値判定部３には電界レベルしきい値が未設定である（時刻ｔ１）。このため、電界レベルしきい値判定部３はしきい値判定を行わない。
【００２８】
次いで、基地局１１−１から送信された下り制御信号３１が受信ＲＦ部１により受信される（時刻ｔ２）。この受信電界レベルは電界レベル検出部２により検出されて電界レベルしきい値計算部４に出力される。電界レベルしきい値計算部４は、その受信電界レベルにしきい値増分α（所定値）を加算して電界レベルしきい値Ｔｈ１を算出する。そして、その算出した電界レベルしきい値Ｔｈ１を電界レベルしきい値判定部３に設定する。また受信初期状態からの最初の下り制御信号受信時点では、復調部５は、その最初の下り制御信号３１を使用して同期確立動作を開始する。
【００２９】
次いで、基地局１１−２から送信された下り制御信号３２が受信ＲＦ部１により受信される（時刻ｔ３）。この時、電界レベルしきい値判定部３は、電界レベルしきい値Ｔｈ１を用いたしきい値判定を行う。ここで、電界レベルしきい値Ｔｈ１は、先に受信した下り制御信号３１の受信電界レベルよりしきい値増分αだけ高い値である。したがって、下り制御信号３２の受信電界レベルが下り制御信号３１の受信電界レベルよりもしきい値増分α以上高い場合に、しきい値判定は合格となる。図４の例では、下り制御信号３２の受信電界レベルは下り制御信号３１の受信電界レベルよりもしきい値増分α以上高くないので、しきい値判定は不合格である。このため、電界レベルしきい値判定部３からは判定信号が出力されず、制御部６は復調部５の動作をそのまま継続させる。該合格とは、しきい値判定処理によって下り制御信号の受信電界レベルが電界レベルしきい値よりも高いと判定された場合に当該下り制御信号が採用され、この採用された下り制御信号に基づいて受信処理手段は同期確立することを意味している。該不合格とは、しきい値判定処理によって下り制御信号の受信電界レベルが電界レベルしきい値よりも高くないと判定された場合に、受信処理手段は当該下り制御信号に基づいて同期確立しないことを意味している。
【００３０】
次いで、基地局１１−３から送信された下り制御信号３３が受信ＲＦ部１により受信される（時刻ｔ４）。この下り制御信号３３の受信電界レベルは下り制御信号３１の受信電界レベルよりもしきい値増分α以上高い。したがって、電界レベルしきい値Ｔｈ１を用いたしきい値判定の結果は合格であり、電界レベルしきい値判定部３は判定信号を出力する。制御部６は、その判定信号に応じて、復調部５にリスタート信号を出力する。復調部５は、そのリスタート信号に応じて、基地局１１−３からの下り制御信号３３を使用して同期確立動作を再開始する。該合格とは、しきい値判定処理によって下り制御信号の受信電界レベルが電界レベルしきい値よりも高いと判定された場合に当該下り制御信号が採用され、この採用された下り制御信号に基づいて受信処理手段は同期確立することを意味している。
【００３１】
また、制御部６は、電界レベルしきい値判定部３からの判定信号に応じて、電界レベルしきい値計算部４に対して電界レベルしきい値の算出を指示する算出指示信号を出力する。電界レベルしきい値計算部４は、その算出指示信号に応じて、今度は下り制御信号３３の受信電界レベルにしきい値増分αを加算して電界レベルしきい値Ｔｈ２を算出する。そして、その電界レベルしきい値Ｔｈ２を電界レベルしきい値判定部３に設定して電界レベルしきい値を更新する。
【００３２】
次いで、基地局１１−４から送信された下り制御信号３４が受信ＲＦ部１により受信される（時刻ｔ５）。この下り制御信号３４の受信電界レベルは下り制御信号３３の受信電界レベルよりもしきい値増分α以上高い。したがって、電界レベルしきい値Ｔｈ２を用いたしきい値判定の結果は合格であり、電界レベルしきい値判定部３は判定信号を出力する。制御部６は、その判定信号に応じて、復調部５にリスタート信号を出力し、復調部５は、そのリスタート信号に応じて、基地局１１−４からの下り制御信号３４を使用して同期確立動作を再開始する。該合格とは、しきい値判定処理によって下り制御信号の受信電界レベルが電界レベルしきい値よりも高いと判定された場合に当該下り制御信号が採用され、この採用された下り制御信号に基づいて受信処理手段は同期確立することを意味している。
【００３３】
また、制御部６は、電界レベルしきい値判定部３からの判定信号に応じて、電界レベルしきい値計算部４に対して算出指示信号を出力し、電界レベルしきい値計算部４は、その算出指示信号に応じて、今度は下り制御信号３４の受信電界レベルにしきい値増分αを加算して電界レベルしきい値Ｔｈ３を算出する。そして、その電界レベルしきい値Ｔｈ３を電界レベルしきい値判定部３に設定して電界レベルしきい値を更新する。
【００３４】
次いで、基地局１１−４から送信された下り制御信号３４の受信が完了する（時刻ｔ６）。制御部６は、下り制御信号３４の受信が完了すると、電界レベルしきい値判定部３に対して電界レベルしきい値を無効とする無効信号を出力する。電界レベルしきい値判定部３は、その無効信号に応じて、電界レベルしきい値を未設定とする。これにより、受信初期状態に戻る。
【００３５】
上述したように、電界レベルしきい値は、先に受信した下り制御信号の受信電界レベルにしきい値増分αを加算したものである。したがって、その電界レベルしきい値を用いたしきい値判定によれば、先に受信した下り制御信号より受信電界レベルより高い信号を有効と判定することができ、受信電界レベルの高い下り制御信号を効率的に選択することが可能となる。
【００３６】
次に、上記したしきい値増分αの決め方について説明する。
しきい値増分αは予め決定されて電界レベル計算部４に記憶されている。そのしきい値増分αの決め方としては、しきい値判定をより効果的に行うことを主眼に置くことが好ましい。具体的には、（１）式の関係を満足するようにしきい値増分αを決定する。
【００３７】
高い受信電界レベル／低い受信電界レベル＝α  ・・・（１）
ここで、αには、実用上問題のないエラーレートを確保可能なＣＩＲを用いる。このαの値は移動通信システムの環境条件や実測値など基づいて決定する。
【００３８】
上記（１）式を変形すると、
高い受信電界レベル＞低い受信電界レベル×α  ・・・（２）
さらに（２）式の両辺の対数をとり変形すると、
ｌｏｇ（高い受信電界レベル）＞ｌｏｇ（低い受信電界レベル×α）
＝ｌｏｇ（高い受信電界レベル）＞ｌｏｇ（低い受信電界レベル）＋ｌｏｇα
＝高い受信電界レベル（ｄＢ；デシベル）＞低い受信電界レベル（ｄＢ）＋α（ｄＢ）  ・・・（３）
となる。
【００３９】
つまり、先に受信した下り制御信号の受信電界レベルを低い受信電界レベル（ｄＢ）として、しきい値増分α（ｄＢ）を加算した値が、新たな電界レベルしきい値（ｄＢ）である。この電界レベルしきい値（ｄＢ）より高い受信電界レベルの下り制御信号ならば、たとえ先に受信した信号と重複していたとしても、実用上問題のないエラーレートを確保可能なＣＩＲを得ることができ、通信品質は確保される。これにより、実用上問題がなく且つ受信電界レベルのより高い下り制御信号を効率的に選択することが可能となる。
【００４０】
次に、図５を参照して、本実施形態に係る移動局１０における下り制御信号の受信動作を説明する。図５は、図１に示す移動局１０の処理フロー図である。
移動局１０において、受信動作が開始されると、図５の処理が開始される。先ず、ステップＳ１では、制御部６は復調部５に復調開始を指示し、これにより復調部５は復調動作を開始する。また、電界レベル検出部２は、受信ＲＦ部１で受信された受信信号の受信電界レベルの検出を開始する。
【００４１】
次いで、ステップＳ２では、受信終了か否かを判断し、受信終了でなければステップＳ３に進む、受信終了ならば図５の処理を終了する。
【００４２】
次いで、ステップＳ３では、復調部５は、受信信号から下り制御信号のビット同期用信号２１を検出すると、ビット同期用信号検出信号を制御部６に出力し、制御部６はそのビット同期用信号検出信号に応じて電界レベルしきい値計算部４に算出指示信号を出力する。一方、ビット同期用信号２１が未検出の場合には上記ステップＳ２に戻る。
【００４３】
次いで、ステップＳ４では、電界レベルしきい値計算部４は、制御部６からの算出指示信号に応じて、電界レベル検出部２で検出された受信電界レベルにしきい値増分αを加算して電界レベルしきい値を算出し、電界レベルしきい値判定部３に設定する。
【００４４】
次いで、ステップＳ５では、復調部５は、受信信号から下り制御信号のフレーム同期用信号２２を検出すると、フレーム同期用信号検出信号を制御部６に出力し、制御部６はそのフレーム同期用信号検出信号から受信波終了タイミングを決定する（Ｓ６）。また、制御部６はそのフレーム同期用信号検出信号に応じて電界レベルしきい値判定部３に判定開始信号を出力する。一方、フレーム同期用信号２２が未検出の場合には上記ステップＳ２に戻る。
【００４５】
次いで、ステップＳ７では、電界レベルしきい値判定部３は、電界レベル検出部２で検出された受信電界レベルを電界レベルしきい値と比較する。この結果、受信電界レベルの方が電界レベルしきい値より高ければ（Ｓ７、ＹＥＳ）、電界レベルしきい値判定部３は判定信号を出力する。制御部６はその判定信号に応じて、復調部５にリスタート信号を出力し、復調部５の同期確立動作は再開始される（上記ステップＳ３に戻る）。
【００４６】
一方、受信電界レベルが電界レベルしきい値より高くなければ（Ｓ７、ＮＯ）、ステップＳ８で、制御部６は受信波終了タイミングか否かを判断する。この結果、受信波終了タイミングならばステップＳ９に進み、受信波終了タイミングでなければ上記ステップＳ７に戻る。
【００４７】
次いで、ステップＳ９では、下り制御信号の受信が完了したので、制御部６は電界レベルしきい値判定部３に無効信号を出力する。電界レベルしきい値判定部３は、その無効信号に応じて、電界レベルしきい値を未設定とする。これにより、上記ステップＳ２に戻る。
【００４８】
なお、上記した図５の処理フローでは、ビット同期用信号が検出されてから電界レベルしきい値の算出を開始したが、フレーム同期用信号が検出されてから電界レベルしきい値の算出を開始してもよい。ビット同期用信号の検出ありで電界レベルしきい値を算出する場合は、下り制御信号の受信開始時点から電界レベルしきい値を算出し始めることになるので、しきい値の算出精度が向上する。一方、フレーム同期用信号の検出ありで電界レベルしきい値を算出する場合は、算出期間が短縮されるので消費電力の低減効果が得られる。
【００４９】
上述したように本実施形態によれば、無線受信した受信信号の受信電界レベルを基にして電界レベルしきい値を算出し、この電界レベルしきい値を用いたしきい値判定の結果から受信信号の有効性を判断する。これにより、複数の無線基地局からの下り制御信号の中から受信電界レベルの高い信号をしきい値判定により効率的に選択することが可能となる。
【００５０】
以上、本発明の実施形態を図面を参照して詳述してきたが、具体的な構成はこの実施形態に限られるものではなく、本発明の要旨を逸脱しない範囲の設計変更等も含まれる。
例えば、上述した実施形態では、ＴＤＭＡ方式の移動通信システムを例に挙げて説明したが、ＴＤＭＡ方式に限定されることなく、各種の無線通信方式に本発明を適用することができる。
【図面の簡単な説明】
【００５１】
【図１】本発明の一実施形態に係る無線移動局１０の受信系の構成を示すブロック図である。
【図２】移動通信システムの一構成例を示すブロック図である。
【図３】下り制御信号の構成図である。
【図４】図１に示す無線移動局１０の動作を説明するためのタイミングチャートである。
【図５】図１に示す無線移動局１０の処理フロー図である。
【符号の説明】
【００５２】
１…受信ＲＦ部、２…電界レベル検出部、３…電界レベルしきい値判定部、４…電界レベルしきい値計算部、５…復調部、６…制御部、１０…無線移動局、１１−１〜ｎ…無線基地局
【図１】
2006245741.tif 000003
【図２】
2006245741.tif 000004
【図３】
2006245741.tif 000005
【図４】
2006245741.tif 000006
【図５】
2006245741.tif 000007